(57)【要約】【課題】建設費用が低減され、設備効率の高い電力・冷熱供給コンバインドシステムを提供する。【解決手段】蒸気発生器４で発生した水蒸気によって水蒸気タービン５を駆動して発電を行い水蒸気タービン駆動後の水蒸気を復水器７によって復水して循環させる水蒸気発電システム１と、前記水蒸気発電システム１の復水器７に接続されて水よりも沸点の低い媒体を必須成分とし複数種類の媒体からなる混合媒体の濃度分離によって前記水蒸気発電システム１の廃熱を回収し混合媒体タービン１１を駆動して発電し発電後の混合媒体蒸気をエジェクター式混合吸収凝縮器１３によって復液させるとともに前記復液の一部分を前記エジェクター式混合吸収凝縮器１３の駆動流体として用いる混合媒体発電システム２と、前記水蒸気発電システム１から水蒸気を供給されて混合媒体を濃度分離し断熱膨張させて冷媒を冷却する吸収冷凍システム３とを備えた構成とする。【選択図】　図１
2004036573.tif 000002
【特許請求の範囲】
【請求項１】
蒸気発生器で発生した水蒸気によって水蒸気タービンを駆動して発電を行い水蒸気タービン駆動後の水蒸気を復水器によって復水して循環させる水蒸気発電システムと、前記水蒸気発電システムの復水器に接続されて水よりも沸点の低い媒体を必須成分とし複数種類の媒体からなる混合媒体の濃度分離によって前記水蒸気発電システムの廃熱を回収し混合媒体タービンを駆動して発電し発電後の混合媒体蒸気をエジェクター式混合吸収凝縮器によって復液させるとともに前記復液の一部分を前記エジェクター式混合吸収凝縮器の駆動流体として用いる混合媒体発電システムと、前記水蒸気発電システムから水蒸気を供給されて混合媒体を濃度分離し断熱膨張させて冷媒を冷却する吸収式冷凍システムとを備えたことを特徴とする電力・冷熱供給コンバインドシステム。
【請求項２】
前記吸収式冷凍システムはエジェクター式混合吸収凝縮器を備え、冷媒を冷却した後の混合媒体蒸気を前記エジェクター式混合吸収凝縮器によって復液させるとともに復液の一部分を前記エジェクター式混合吸収凝縮器の駆動流体として用いることを特徴とする請求項１記載の電力・冷熱供給コンバインドシステム。
【請求項３】
前記水蒸気発電システムは復水器の代りに、ハウジング部とノズル部と熱交換部室を有するエジェクター式混合吸収凝縮器を備え、前記ハウジング部に水蒸気タービン排気が流入し、前記ノズル部に前記吸収式冷凍システムから戻った蒸気と循環ポンプで加圧された復水の分岐した一部とが流入し、前記ハウジング部に流入した蒸気を吸引して混合吸収しながら前記熱交換部室に流入して前記混合媒体発電システムからの混合媒体と熱交換を行って復液するようにしたことを特徴とする請求項１または２記載の電力・冷熱供給コンバインドシステム。
【請求項４】
前記水蒸気発電システムから前記吸収式冷凍システムに供給された水蒸気は、前記混合媒体発電システムに設けられ混合媒体蒸気を発生させる高圧分離器に導かれて熱交換を行ってから水蒸気発電システムに戻るようにしたことを特徴とする請求項１記載の電力・冷熱供給コンバインドシステム。
【請求項５】
前記吸収式冷凍システムにおいて冷媒を冷却したのちの混合媒体蒸気は前記混合媒体発電システムのエジェクター式混合吸収凝縮器のハウジング部に導かれ、前記吸収式冷凍システムの蒸発器で分離された低濃度混合媒体液は熱回収器で冷却され絞り弁を経由して前記混合媒体発電システムのエジェクター式混合吸収凝縮器のノズル部に導かれ、前記混合媒体発電システムのエジェクター式混合吸収凝縮器の熱交換部室で復液した混合媒体液は前記吸収式冷凍システムの蒸発器の熱交換部に導かれるようにしたことを特徴とする請求項４に記載の電力・冷熱供給コンバインドシステム。
【請求項６】
蒸気発生器で発生した水蒸気によって水蒸気タービンを駆動して発電を行い水蒸気タービン駆動後の水蒸気を復水器によって復水して循環させる水蒸気発電システムと、前記水蒸気発電システムの復水器に接続されるとともに前記水蒸気発電システムから水蒸気を供給されて水よりも沸点の低い媒体を必須成分とし複数種類の媒体からなる混合媒体の濃度分離によって混合媒体蒸気を発生し混合媒体タービンを駆動して発電し発電後の混合媒体蒸気をエジェクター式混合吸収凝縮器によって復液させるとともに前記復液の一部分を前記エジェクター式混合吸収凝縮器の駆動流体として用いる混合媒体発電システムと、前記混合媒体発電システムから混合媒体蒸気を供給され断熱膨張させて冷媒を冷却し冷媒冷却後の混合媒体を前記混合媒体発電システムのエジェクター式混合吸収凝縮器へ送給する吸収式冷凍システムとを備えたことを特徴とする電力・冷熱供給コンバインドシステム。
【請求項７】
前記混合媒体発電システムは復液を加圧する加圧ポンプを備え、前記加圧ポンプの吐出圧力が２種類以上の圧力に切り換えられることを特徴とする請求項６記載の電力・冷熱供給コンバインドシステム。
【請求項８】
前記混合媒体発電システムあるいは前記吸収式冷凍システムに設けられたエジェクター式混合吸収凝縮器の熱交換部は空気冷却であることを特徴とする請求項１〜７のいずれかに記載の電力・冷熱供給コンバインドシステム。
【請求項９】
前記混合媒体発電システムに設けられたエジェクター式混合吸収凝縮器の熱交換部室の熱交換部、および前記吸収式冷凍システムに設けられたエジェクター式混合吸収凝縮器の熱交換部室の熱交換部、および前記吸収式冷凍システムに設けられた凝縮器の熱交換部の少なくともいずれか２つは共通の冷却海水系を備えていることを特徴とする請求項１〜７のいずれかに記載の電力・冷熱供給コンバインドシステム。
【請求項１０】
前記冷却海水系は取水ポンプを備え、前記取水ポンプの取水量は、前記水蒸気発電システムに設けられた蒸気発生器の最大出力の熱除去ができる取水量から前記蒸気発生器の最大熱出力より前記水蒸気タービンおよび前記混合媒体タービンの駆動エネルギーを差し引いた残りの熱除去ができる取水量に変えられることを特徴とする請求項９に記載の電力・冷熱供給コンバインドシステム。
【請求項１１】
前記混合媒体発電システムに備えられ復液を加圧する加圧ポンプ、または前記吸収式冷凍システムに設けられ復液を加圧する加圧ポンプの少なくとも一方の吐出流量は可変であることを特徴とする請求項９に記載の電力・冷熱供給コンバインドシステム。
【請求項１２】
前記混合媒体発電システムに設けられ混合媒体蒸気を発生する高圧分離器の高濃度混合媒体蒸気配管を分岐して、海水で冷却する熱回収器および緊急時開放弁を介して前記混合媒体タービンの排気部に接続したことを特徴とする請求項１または２記載の電力・冷熱供給コンバインドシステム。
【請求項１３】
前記吸収式冷凍システムは、加圧された復液を分岐して凝縮器の冷却部および蒸発器に導く分岐配管を備えていることを特徴とする請求項１または２記載の電力・冷熱供給コンバインドシステム。
【発明の詳細な説明】
【０００１】
【発明の属する技術分野】
本発明は、水蒸気を作動媒体とする水蒸気発電システムで生成した水蒸気を分岐してアンモニア水溶液等を作動媒体とする吸収式冷凍システムに導いて冷媒を生成するとともに、前記水蒸気発電システムの発電機を駆動するタービンの排気蒸気を水・アンモニア等の混合媒体を作動媒体とする混合媒体発電システムに導いて発電を行う電力・冷熱供給コンバインドシステムに関する。
【０００２】
【従来の技術】
原子力発電プラントは、発電コストが安いのでベースロード運用が行われている。電力需要には日負荷変動があるのでピーク電力需要に対しては水力発電と石油火力発電プラントが用いられている。水力発電の場合には遠隔立地で、建設時の環境破壊、建設期間が長い等の問題があり、石油火力発電の場合には炭酸ガス排出による地球温暖化の問題がある。
【０００３】
そこで原子力発電プラントの特長を生かしながら日負荷変動に対応するために、製造した蒸気を貯蔵し、ピーク電力需要に対して貯蔵蒸気で発電するシステムが検討されている。夜間の１０時間に２０％の発電量を削減する蒸気量を抽気して貯蔵し、昼間の７時間に２０％の追加発電を行うことで負荷変動対応が可能となり、揚水発電所並みの貯蔵発電効率（７２．６％）が得られると評価されている。１１０万ｋＷ級の原子力発電プラントの場合、４０４０ｍ３の貯蔵容器２１基を１１４ｍ×５４ｍの敷地に設置することになる。その時の容器の内径は１１．５ｍで、高さは４４．２ｍである。
【０００４】
【発明が解決しようとする課題】
従来の火力発電システムや原子力発電システムにおいては水のランキングサイクルが採用されているために、常温近辺で蒸気圧が零近くになり熱回収が困難になってくる。太平洋岸の２００メートル以深の海には７℃程度の海洋深層水と称される低温の海水が存在するが、この低温の海水を復水器の冷却に用いても水の蒸気圧が低過ぎるために熱回収ができず、発電効率を向上することができない。また、外気温度が零度以下になる地域や季節においてもこの冷熱を回収して電力に変換することができない。
そこで本発明は、建設費用が低減され、設備効率の高い電力・冷熱供給コンバインドシステムを提供することを目的とする。
【０００５】
【課題を解決するための手段】
上記目的を達成するために請求項１の発明の電力・冷熱供給コンバインドシステムは、蒸気発生器で発生した水蒸気によって水蒸気タービンを駆動して発電を行い水蒸気タービン駆動後の水蒸気を復水器によって復水して循環させる水蒸気発電システムと、前記水蒸気発電システムの復水器に接続されて水よりも沸点の低い媒体を必須成分とし複数種類の媒体からなる混合媒体の濃度分離によって前記水蒸気発電システムの廃熱を回収し混合媒体タービンを駆動して発電し発電後の混合媒体蒸気をエジェクター式混合吸収凝縮器によって復液させるとともに前記復液の一部分を前記エジェクター式混合吸収凝縮器の駆動流体として用いる混合媒体発電システムと、前記水蒸気発電システムから水蒸気を供給されて混合媒体を濃度分離し断熱膨張させて冷媒を冷却する吸収式冷凍システムとを備えた構成とする。
【０００６】
請求項２の発明は、前記吸収式冷凍システムはエジェクター式混合吸収凝縮器を備え、冷媒を冷却した後の混合媒体蒸気を前記エジェクター式混合吸収凝縮器によって復液させるとともにこの復液の一部分を前記エジェクター式混合吸収凝縮器の駆動流体として用いる構成とする。
【０００７】
請求項３の発明は、請求項１または２の発明において、前記水蒸気発電システムは復水器の代りに、ハウジング部とノズル部と熱交換部室を有するエジェクター式混合吸収凝縮器を備え、前記ハウジング部に水蒸気タービン排気が流入し、前記ノズル部に前記吸収式冷凍システムから戻った蒸気と循環ポンプで加圧された復水の分岐した一部とが流入し、前記ハウジング部に流入した蒸気を吸引して混合吸収しながら前記熱交換部室に流入して前記混合媒体発電システムからの混合媒体と熱交換を行って復液するようにした構成とする。
【０００８】
請求項４の発明は、請求項１の発明において、前記水蒸気発電システムから前記吸収式冷凍システムに供給された水蒸気は、前記混合媒体発電システムに設けられ混合媒体蒸気を発生させる高圧分離器に導かれて熱交換を行ってから水蒸気発電システムに戻るようにした構成とする。
【０００９】
請求項５の発明は、請求項４の発明において、前記吸収式冷凍システムにおいて冷媒を冷却したのちの混合媒体蒸気は前記混合媒体発電システムのエジェクター式混合吸収凝縮器のハウジング部に導かれ、前記吸収式冷凍システムの蒸発器で分離された低濃度混合媒体液は熱回収器で冷却され絞り弁を経由して前記混合媒体発電システムのエジェクター式混合吸収凝縮器のノズル部に導かれ、前記混合媒体発電システムのエジェクター式混合吸収凝縮器の熱交換部室で復液した混合媒体液は前記吸収式冷凍システムの蒸発器の熱交換部に導かれるようにした構成とする。
【００１０】
請求項６の発明の電力・冷熱供給コンバインドシステムは、蒸気発生器で発生した水蒸気によって水蒸気タービンを駆動して発電を行い水蒸気タービン駆動後の水蒸気を復水器によって復水して循環させる水蒸気発電システムと、前記水蒸気発電システムの復水器に接続されるとともに前記水蒸気発電システムから水蒸気を供給されて水よりも沸点の低い媒体を必須成分とし複数種類の媒体からなる混合媒体の濃度分離によって混合媒体蒸気を発生し混合媒体タービンを駆動して発電し発電後の混合媒体蒸気をエジェクター式混合吸収凝縮器によって復液させるとともに前記復液の一部分を前記エジェクター式混合吸収凝縮器の駆動流体として用いる混合媒体発電システムと、前記混合媒体発電システムから混合媒体蒸気を供給され断熱膨張させて冷媒を冷却し冷媒冷却後の混合媒体を前記混合媒体発電システムのエジェクター式混合吸収凝縮器へ送給する吸収式冷凍システムとを備えた構成とする。
【００１１】
請求項７の発明は、請求項６の発明において、前記混合媒体発電システムは復液を加圧する加圧ポンプを備え、前記加圧ポンプの吐出圧力が２種類以上の圧力に切り換えられる構成とする。
【００１２】
請求項８の発明は、請求項１〜７のいずれかの発明において、前記混合媒体発電システムあるいは前記吸収式冷凍システムに設けられたエジェクター式混合吸収凝縮器の熱交換部は空気冷却である構成とする。
【００１３】
請求項９の発明は、請求項１〜７のいずれかの発明において、前記混合媒体発電システムに設けられたエジェクター式混合吸収凝縮器の熱交換部室の熱交換部、および前記吸収式冷凍システムに設けられたエジェクター式混合吸収凝縮器の熱交換部室の熱交換部、および前記吸収式冷凍システムに設けられた凝縮器の熱交換部の少なくともいずれか２つは共通の冷却海水系を備えている構成とする。
【００１４】
請求項１０の発明は、請求項９の発明において、前記冷却海水系は取水ポンプを備え、前記取水ポンプの取水量は、前記水蒸気発電システムに設けられた蒸気発生器の最大出力の熱除去ができる取水量から前記蒸気発生器の最大熱出力より前記水蒸気タービンおよび前記混合媒体タービンの駆動エネルギーを差し引いた残りの熱除去ができる取水量に変えられる構成とする。
【００１５】
請求項１１の発明は、請求項９の発明において、前記混合媒体発電システムに備えられ復液を加圧する加圧ポンプ、または前記吸収式冷凍システムに設けられ復液を加圧する加圧ポンプの少なくとも一方の吐出流量は可変である構成とする。
【００１６】
請求項１２の発明は、請求項１または２の発明において、前記混合媒体発電システムに設けられ混合媒体蒸気を発生する高圧分離器の高濃度混合媒体蒸気配管を分岐して、海水で冷却する熱回収器および緊急時開放弁を介して前記混合媒体タービンの排気部に接続した構成とする。
【００１７】
請求項１３の発明は、請求項１または２の発明において、前記吸収式冷凍システムは、加圧された復液を分岐して凝縮器の冷却部および蒸発器に導く分岐配管を備えている構成とする。
【００１８】
【発明の実施の形態】
本発明の第１の実施の形態の電力・冷熱供給コンバインドシステムを図１を参照して説明する。すなわち、本実施の形態の電力・冷熱供給コンバインドシステムは、水蒸気発電システム１と、この水蒸気発電システム１のボトミングに付設された水・アンモニア混合媒体発電システム２と、前記水蒸気発電システム１の分岐蒸気あるいは抽気蒸気を利用するアンモニア吸収式冷凍システム３とからなる。
【００１９】
水蒸気発電システム１は、ボイラー４、水蒸気タービン５、発電機６、復水器７、循環ポンプ８等で構成される。復水器７には熱交換部９が設けられている。
水・アンモニア混合媒体発電システム２は、高圧分離器１０、混合媒体タービン１１、発電機１２、エジェクター式混合吸収凝縮器１３、加圧ポンプ１４、熱回収器１５、絞り弁１６、分岐配管１７等で構成される。エジェクター式混合吸収凝縮器１３はハウジング部１８とノズル部１９と熱交換部室２０を備え、熱回収器１５は熱交換部２１を備えている。
【００２０】
アンモニア吸収式冷凍システム３は、減圧弁２２、蒸発器２３、凝縮器２４、膨張弁２５、加熱器２６、エジェクター式混合吸収凝縮器２８、加圧ポンプ２９、熱回収器３０、絞り弁３１、分岐配管３２等で構成される。エジェクター式混合吸収凝縮器２８はハウジング部３３とノズル部３４と熱交換部室３５を備えている。また、蒸発器２３、加熱器２６および熱回収器３０はそれぞれ熱交換部３６，３７，３８を備えている。
【００２１】
このような構成によって、水蒸気発電システム１のボイラー４で生成した蒸気を分岐し、その一部を水蒸気タービン５に導いてこれを駆動し、同軸に結合された発電機６で発電を行う。残りの蒸気はアンモニア吸収式冷凍システム３の蒸発器２３の熱交換部３６に導いて熱交換を行って減圧弁２２で減圧を行い、戻り配管２７ａによって水蒸気発電システム１に戻り、水蒸気タービン５の排気と合流されて復水器７に導かれる。復水器７において、水・アンモニア混合媒体発電システム２の混合媒体が流れる熱交換部９で冷却されて復水し、循環ポンプ８で加圧されてボイラー４に循環する。
【００２２】
水・アンモニア混合媒体発電システム２内を循環する水・アンモニア混合媒体は、水蒸気発電システム１の復水器７の熱交換部９において水蒸気タービン５の排気およびアンモニア吸収式冷凍システム３から環流した水蒸気と熱交換を行って加熱され、高圧分離器１０に導かれて高濃度の混合媒体蒸気と低濃度の混合媒体液に分離される。高濃度の混合媒体蒸気は混合媒体タービン１１に導かれてこれを駆動し、同軸に結合された発電機１２で発電を行う。混合媒体タービン１１の排気はエジェクター式混合吸収凝縮器１３のハウジング部１８に導かれる。
【００２３】
高圧分離器１０で分離された低濃度混合媒体液は熱回収器１５で冷却され、絞り弁１６を経由してエジェクター式混合吸収凝縮器１３のノズル部１９に流入する。ここで、ハウジング部１８に流入した混合媒体タービン１１の排気の高濃度混合媒体蒸気を吸引して混合吸収しながら熱交換部室２０に流入して熱交換を行って復液させる。この復液は加圧ポンプ１４で加圧されたのち分岐されて、一部は分岐配管１７経由でエジェクター式混合吸収凝縮器１３のノズル部１９に導かれる。残りは熱回収器１５の熱交換部２１を経由して水蒸気発電システム１の復水器７の熱交換部９に循環する。
【００２４】
アンモニア吸収式冷凍システム３において、蒸発器２３に貯溜された水・アンモニア混合媒体は、水蒸気発電システム１で生成され分岐配管２７によって供給された水蒸気で加熱され、アンモニア蒸気と低濃度混合媒体液に分離される。アンモニア蒸気は凝縮器２４に導かれて冷却され、膨張弁２５を経由して加熱器２６に流入して、外部からの冷媒が流れる熱交換部３７で熱交換を行ってエジェクター式混合吸収凝縮器２８のハウジング部３３に流入する。
【００２５】
一方、蒸発器２３で分離された低濃度混合媒体液は熱回収器３０で冷却され、絞り弁３１を経由してエジェクター式混合吸収凝縮器２８のノズル部３４に流入する。ここで、ハウジング部３３に流入したアンモニア蒸気を吸引して混合吸収しながら熱交換部室３５に流入して熱交換を行って復液させる。
【００２６】
この復液は、加圧ポンプ２９で加圧されたのち分岐されて、一部は分岐配管３２経由でエジェクター式混合吸収凝縮器２８のノズル部３４に導かれる。残りは熱回収器３０の熱交換部３８を経由して蒸発器２３に循環する。なお、加熱器２６の熱交換部３７を流れる冷媒は、図示されていない潜熱蓄熱剤貯蔵槽や製氷装置に導かれる。
【００２７】
このように本発明の第１の実施の形態の電力・冷熱供給コンバインドシステムは、水蒸気発電システム１のボトミングに付設した水・アンモニア混合媒体発電システム２および、水蒸気発電システム１の水蒸気タービン５の抽気蒸気あるいはボイラー４の分岐蒸気を利用するアンモニア吸収式冷凍システム３の復液部にエジェクター式混合吸収凝縮器１３，２８を用い，加圧した復液の一部を分岐して前記エジェクター式混合吸収凝縮器１３，２８のノズル部１９，３４に導くようにしたことに特徴がある。
【００２８】
この第１の実施の形態の電力・冷熱供給コンバインドシステムにおいては、夜間の電力需要の少ない時に、水蒸気発電システム１のボイラー４で生成した蒸気の約２０％程度が分岐されてアンモニア吸収式冷凍システム３の蒸発器２３の熱交換部３６に導かれる。この蒸気は、蒸発器２３に貯溜されたアンモニア水溶液と熱交換を行って凝縮され減圧弁２２で減圧されて水蒸気発電システム１に戻され、水蒸気タービン５の排気と合流して復水器７に導かれて復水される。
【００２９】
アンモニア吸収式冷凍システム３の蒸発器２３で加熱されたアンモニア水溶液はアンモニア蒸気と低濃度アンモニア水に分離される。アンモニア蒸気は凝縮器２４に導かれて冷却水（海水等）が流れる熱交換部で冷却されて液化し、膨張弁２５に導かれて断熱膨張を行って低温のアンモニア蒸気となって加熱器２６に導かれる。加熱器２６では、外部で仕事した冷媒が流れる熱交換部３７で熱交換を行って加熱され、エジェクター式混合吸収凝縮器２８のハウジング部３３に導かれる。
【００３０】
一方、蒸発器２３で分離された低濃度アンモニア溶液は、熱回収器３０で冷却され絞り弁３１で圧力調整されてエジェクター式混合吸収凝縮器２８のノズル部３４に導かれる。そして、ノズル部３４から超音速の二相流で噴出して、ハウジング部３３に流入したアンモニア蒸気を吸引して混合吸収しながら熱交換部室３５に排出する。
【００３１】
加熱器２６の熱交換部３７を流れる外部からの冷媒は膨張弁２５から流入する低温のアンモニア蒸気によって冷却され、外部の潜熱蓄熱剤貯蔵槽に移送されて潜熱蓄熱剤を凍結させる熱交換を行って冷熱を潜熱の形で貯蔵したり、外部の製氷装置に導かれて氷を製造する熱交換を行って冷熱を氷潜熱の形で貯蔵する。
【００３２】
電力需要のピークが発生する昼間には、水蒸気発電システム１のボイラー４で生成した蒸気をアンモニア吸収式冷凍システム３に分岐する量を減らし、大部分の蒸気を水蒸気タービン５に導いてこれを駆動し、同軸に結合された発電機６で発電を行う。水蒸気タービン５の排気は復水器７に送られ、水・アンモニア混合媒体発電システム２からの混合媒体液が流れる熱交換部９で熱交換を行って復水する。
【００３３】
復水器７の熱交換部９で熱交換を行って加熱された水・アンモニア混合媒体は、水・アンモニア混合媒体発電システム２の高圧分離器１０に導かれ、高濃度混合媒体蒸気と低濃度混合媒体液に分離される。高濃度混合媒体蒸気は混合媒体タービン１１に導かれてこれを駆動し、同軸に結合された発電機１２で発電を行う。
【００３４】
一方、高圧分離器１０で分離された低濃度混合媒体液は熱回収器１５に導かれ、エジェクター式混合吸収凝縮器１３で復液した混合媒体液が流れる熱交換部２１で熱交換を行って冷却され、絞り弁１６で圧力調整をされてエジェクター式混合吸収凝縮器１３のノズル部１９に導かれる。そしてノズル部１９から超音速の二相流で噴出して、ハウジング部１８に流入した高濃度混合媒体蒸気を混合吸収して熱交換部室２０に吸引排除する。
【００３５】
このようにして、水蒸気発電システム１と水・アンモニア混合媒体発電システム２の発電の総和でピーク電力需要に対応する。また、冷熱需要に対しては、夜間にアンモニア吸収式冷凍システム３を運転して生成した冷媒で潜熱蓄熱剤を固化して蓄積した冷熱、あるいは氷を製造して蓄積した冷熱を取出して対処する。さらに、空調に使用した冷水を用いて水・アンモニア混合媒体発電システム２におけるエジェクター式混合吸収凝縮器１３の熱交換部室２０の熱交換部に流す海水を冷却するのに用いることで水・アンモニア混合媒体発電システム２での発電量を増大させることによってもピーク電力需要に対処する。
【００３６】
以上のように、本発明の第１の実施の形態の電力・冷熱コンバインドシステムは、水蒸気発電システム１と水・アンモニア混合媒体発電システム２とアンモニア吸収式冷凍システム３とを備えているので、夜間の電力需要の少ない時にはアンモニア吸収式冷凍システム３によって冷媒を生成して潜熱蓄熱剤を凍結させたり氷を製造して冷熱を貯蔵し、昼間の電力需要の多い時には水蒸気発電システム１と水・アンモニア混合媒体発電システム２のコンバインドシステムで総合発電効率を向上させてピーク電力に対処することによって負荷平準化を行うことができる。
【００３７】
また、水・アンモニア混合媒体発電システム２とアンモニア吸収式冷凍システム３の高濃度混合媒体排気蒸気を凝縮するのに低濃度混合媒体液の高圧および加圧した復液の分岐した一部とを駆動力に用いたエジェクター式混合吸収凝縮器１３，２８を用いることにより高濃度混合媒体排気蒸気を吸収する低濃度混合媒体液が増えることで、短い距離で吸収が行われることになり、復液器のスケールを大幅に小型化することが可能となり、電力・冷熱供給コンバインドシステムの建設費を削減することができ、また混合媒体タービン１１の出口の排圧を下げることが可能となりタービン出力を増大させることができる。
【００３８】
つぎに図２を参照して本発明の第２の実施の形態の電力・冷熱供給コンバインドシステムを説明する。本実施の形態の電力・冷熱供給コンバインドシステムは、水蒸気発電システム１ａと、水・アンモニア混合媒体発電システム２と、アンモニア吸収式冷凍システム３とからなる。
【００３９】
水蒸気発電システム１ａは、ボイラー４、水蒸気タービン５、発電機６、エジェクター式混合吸収凝縮器３９、循環ポンプ８、分岐配管４４等で構成される。水・アンモニア混合媒体発電システム２の構成およびアンモニア吸収式冷凍システム３の構成は、前記第１の実施の形態（図１）におけると同じである。
【００４０】
このような構成によって、水蒸気発電システム１ａのボイラー４で生成した蒸気を分岐し、一部は水蒸気タービン５に導いてこれを駆動し、同軸に結合された発電機６で発電を行い、その排気をエジェクター式混合吸収凝縮器３９のハウジング部４０に流入させる。ボイラー４で発生した残りの蒸気は分岐配管２７を経由してアンモニア吸収式冷凍システム３の蒸発器２３の熱交換部３６に導いて熱交換を行わせる。
【００４１】
蒸発器２３において熱交換した後の蒸気は減圧弁２２で減圧され、戻り配管２７ａを通って水蒸気発電システム１ａに戻り、エジェクター式混合吸収凝縮器３９のノズル部４１に導かれる。この蒸気はノズル部４１から超音速の二相流で噴出し、ハウジング部４０に流入した水蒸気タービン５の排気を吸引して混合吸収しながら熱交換部室４２に入り、水・アンモニア混合媒体発電システム２からの混合媒体が流れる熱交換部４３で冷却されて復水する。復水は循環ポンプ８で加圧されたのち分岐して一部を分岐配管４４でエジェクター式混合吸収凝縮器３９のノズル部４１に導かれる。残りはボイラー４に循環させる。
【００４２】
水・アンモニア混合媒体発電システム２内を循環する水・アンモニア混合媒体は、水蒸気発電システム１ａのエジェクター式混合吸収凝縮器３９の熱交換部４３に通流され熱交換を行って加熱されたのち、高圧分離器１０に導かれて高濃度の混合媒体蒸気と低濃度の混合媒体液に分離される。高濃度の混合媒体蒸気は混合媒体タービン１１に導かれてこれを駆動し、同軸に結合された発電機１２で発電を行う。混合媒体タービン１１の排気はエジェクター式混合吸収凝縮器１３のハウジング部１８に導かれる。
【００４３】
一方、高圧分離器１０で分離した低濃度混合媒体液は熱回収器１５で冷却され、絞り弁１６を経由してエジェクター式混合吸収凝縮器１３のノズル部１９に流入する。そして、混合媒体タービン１１からハウジング部１８に流入した高濃度混合媒体蒸気を吸引して混合吸収しながら熱交換部室２０に流入して熱交換を行って復液させる。
【００４４】
前記復液は加圧ポンプ１４で加圧されたのち分岐され、一部は分岐配管１７でエジェクター式混合吸収凝縮器１３のノズル部１９に導かれ、残りは熱回収器１５の熱交換部２１を経由して水蒸気発電システム１ａのエジェクター式混合吸収凝縮器３９の熱交換部４３に循環される。アンモニア吸収式冷凍システム３の動作は前記第１の実施の形態において説明した動作と同じである。
【００４５】
この第２の実施の形態の電力・冷熱供給コンバインドシステムにおいては、夜間の電力需要の少ない時に、水蒸気発電システム１ａのボイラー４で生成した蒸気の約２０％程度を分岐して分岐配管２７を経由してアンモニア吸収式冷凍システム３の蒸発器２３の熱交換部３６に導く。この蒸気は、エジェクター式混合吸収凝縮器２８で復液したアンモニア水溶液を加圧ポンプ２９で加圧したものの一部を熱回収器３０で熱交換して昇温されたものと熱交換を行なって凝縮され、減圧弁２２で減圧されて、戻り配管２７ａによって水蒸気発電システム１ａのエジェクター式混合吸収凝縮器３９のノズル部４１に導かれる。また、循環ポンプ８で加圧された復水を分岐した一部もノズル部４１に導かれ、ノズル部４１からの超音速二相流噴流で、ハウジング部４０のタービン５の排気を吸引して混合吸収しながら熱交換部室４２に導いて復水させる。このようにして、アンモニア吸収式冷凍システム３によって冷媒を生成し冷熱を貯蔵する。
【００４６】
電力需要のピークが発生する昼間には、水蒸気発電システム１ａのボイラー４で生成した蒸気をアンモニア吸収式冷凍システム３に分岐する量を減らし、大部分の蒸気を水蒸気タービン５に導いてこれを駆動し、同軸に結合された発電機６で発電を行う。水蒸気タービン５の排気は、エジェクター式混合吸収凝縮器３９のハウジング部４０に流入し、ノズル部４１からの超音速二相流噴流で混合吸収されながら熱交換部室４２に導かれ、水・アンモニア混合媒体発電システム２からの混合媒体液が流れる熱交換部４３で熱交換を行って復水する。熱交換部４３で熱交換を行って加熱された混合媒体は、水・アンモニア混合媒体発電システム２の高圧分離器１０に導かれ、高濃度混合媒体蒸気と低濃度混合媒体液に分離される。この高濃度混合媒体蒸気によって混合媒体タービン１１を駆動して発電を行う。
【００４７】
この第２の実施の形態の電力・冷熱供給コンバインドシステムによれば、第１の実施の形態と同様の効果が得られるとともに、アンモニア吸収式冷凍システム３でアンモニアの蒸発に用いた高圧の復水と、循環ポンプ８で加圧された復水を分岐した一部とをエジェクターの駆動動力として用い、水蒸気タービン５の排気を吸引して混合吸収させるエジェクター式混合吸収凝縮器３９が復水器の代わりに用いられるため、水蒸気タービン５の背圧が下がり、タービン出力が増大するという効果が得られる。また、エジェクター式混合吸収凝縮器３９は動的な吸収凝縮を行わせるために凝縮部を従来の復水器の場合に比較して小型化することができる。
【００４８】
つぎに本発明の第３の実施の形態の電力・冷熱コンバインドシステムを図３を参照して説明する。本実施の形態の電力・冷熱コンバインドシステムは水蒸気発電システム１と、水・アンモニア混合媒体発電システム２ａと、アンモニア吸収式冷凍システム３とを備えている。
【００４９】
水蒸気発電システム１の構成とアンモニア吸収式冷凍システム３の構成は前記第１の実施の形態におけると同じであるが、水・アンモニア混合媒体発電システム２ａは、熱交換部４６を備えた高圧分離器４５を備えており、水蒸気発電システム１で生成され、アンモニア吸収式吸収式冷凍システム３の蒸発器２３で熱交換を行った蒸気をさらに、水・アンモニア混合媒体発電システム２ａの高圧分離器４５に導入しここで熱交換を行わせて、水蒸気発電システム１の復水器７に導くようにした構成である。
【００５０】
このような構成によって、水蒸気発電システム１のボイラー４で生成した蒸気を分岐し、一部は水蒸気タービン５に導いてこれを駆動し、同軸に結合された発電機６で発電を行い、復水器７に流入させる。残りの蒸気はアンモニア吸収式冷凍システム３の蒸発器２３の熱交換部３６に導いて熱交換を行わせる。熱交換後の蒸気は水・アンモニア混合媒体発電システム２ａの高圧分離器４５の熱交換部４６に導いてさらに熱交換を行わせて水蒸気発電システム１の復水器７に導く。復水器７において水・アンモニア混合媒体発電システム２ａからの混合媒体が流れる熱交換部９で冷却されて復水し、復水は循環ポンプ８で加圧されてボイラー４に還流する。
【００５１】
水・アンモニア混合媒体発電システム２ａ内を循環する水・アンモニア混合媒体は、水蒸気発電システム１の復水器７において水蒸気タービン５の排気および高圧分離器４５からの高温水と熱交換を行って加熱され、高圧分離器４５に導かれて、アンモニア吸収式冷凍システム３の蒸発器２３の熱交換部３６で熱交換を行た高温水が流れる熱交換部４６で更に加熱されて高濃度の混合媒体蒸気と低濃度の混合媒体液に分離される。高濃度の混合媒体蒸気は混合媒体タービン１１に導かれてこれを駆動し、同軸に結合された発電機１２で発電を行う。混合媒体タービン１１の排気は、エジェクター式混合吸収凝縮器１３のハウジング部１８に流入する。
【００５２】
高圧分離器４５で分離された低濃度混合媒体液は熱回収器１５で冷却され、絞り弁１６を経由してエジェクター式混合吸収凝縮器１３のノズル部１９に流入する。ここで、ハウジング部１８に流入した高濃度混合媒体蒸気を吸引して混合吸収しながら熱交換部室２０に流入して熱交換を行って復液させる。
【００５３】
前記復液は、加圧ポンプ１４で加圧されたのち分岐されて、一部は分岐配管１７でエジェクター式混合吸収凝縮器１３のノズル部１９に導かれ、残りは熱回収器１５の熱交換部２１を経由して水蒸気発電システム１の復水器７の熱交換部９に循環する。アンモニア吸収式冷凍システム３の動作は前記第１の実施の形態において説明した動作と同じである。
【００５４】
この第３の実施の形態の電力・冷熱供給コンバインドシステムにおいては、夜間の電力需要の少ない時に、水蒸気発電システム１のボイラー４で生成した蒸気の約２０％程度を分岐してアンモニア吸収式冷凍システム３の蒸発器２３の熱交換部３６に導く。この蒸気は、蒸発器２３に貯溜されたアンモニア水溶液と熱交換を行って凝縮し高温水となる。この高温水は、水・アンモニア混合媒体発電システム２ａの高圧分離器４５の熱交換部４６に導かれて熱交換を行って冷却されたのち、水蒸気発電システム１の復水器７に導かれ、水・アンモニア混合媒体発電システム２ａからの混合媒体が流れる熱交換部９でさらに冷却されて復水する。こうして、蒸発器２３において生成したアンモニア蒸気によって冷媒を製造し、この冷媒によって冷熱を生成し貯蔵する。
【００５５】
電力需要のピークが発生する昼間には、水蒸気発電システム１のボイラー４で生成した蒸気をアンモニア吸収式冷凍システム３に分岐する量を減らし、大部分の蒸気を水蒸気タービン５に導いてこれを駆動し、同軸に結合された発電機６で発電を行う。水蒸気タービン５の排気は復水器７に導かれ、水・アンモニア混合媒体発電システム２ａからの混合媒体液が流れる熱交換部９で熱交換を行って復水する。
【００５６】
復水器７の熱交換部９で熱交換を行って加熱された水・アンモニア混合媒体は、高圧分離器４５に導かれ、アンモニア吸収式冷凍システム３の蒸発器２３の熱交換部３６で熱交換を行た高温水が流れる熱交換部４６で更に加熱されて高濃度混合媒体蒸気と低濃度混合媒体液に分離される。この高濃度混合媒体蒸気によって混合媒体タービン１１を駆動して発電を行う。
【００５７】
この第３の実施の形態によれば、第１の実施の形態と同様な効果が得られるとともに、アンモニア吸収式冷凍システム３でアンモニアの蒸発に用いた高圧復水は高温であるため、水・アンモニア混合媒体発電システム２ａの高圧分離器４５で熱回収を行うことで発電効率をさらに向上させることができる。なお、この実施の形態における水蒸気発電システム１は、前記第２の実施の形態におけるように、復水器７の代りにエジェクター式混合吸収凝縮器３９を備えた構成であってもよい。
【００５８】
つぎに本発明の第４の実施の形態を説明する。この実施の形態の電力・冷熱供給コンバインドシステムは図４に示すように、水蒸気発電システム１と、水・アンモニア混合媒体発電システム２ａと、アンモニア吸収式冷凍システム３ａとを備えている。水蒸気発電システム１の構成は第１および第３の実施の形態におけると同じであり、水・アンモニア混合媒体発電システム２ａの構成は第３の実施の形態におけると同じである。
【００５９】
アンモニア吸収式冷凍システム３ａは、蒸発器２３、凝縮器２４、膨張弁２５、加熱器２６、および熱回収器３０をおもな構成要素とし、第１、第２、第３の実施の形態におけるエジェクター式混合吸収凝縮器２８は備えていない。アンモニア吸収式冷凍システム３ａと水・アンモニア混合媒体発電システム２ａのあいだには、蒸発器２３から高圧分離器４５への戻り管２７ａのほかに、熱回収器３０の出口側に設けられた絞り弁３１あるいは加熱器２６から水、アンモニア混合媒体発電システム２ａのエジェクター式混合吸収凝縮器１３のノズル部１９あるいはハウジング部１８に入る配管４７、４８が設けられ、また、エジェクター式混合吸収凝縮器１３の出口に設けられた加圧ポンプ１４の吐出側から分岐して熱回収器３０の熱交換部３８に入る分岐配管４９が設けられている。
【００６０】
すなわち、アンモニア吸収式冷凍システム３ａと水・アンモニア混合媒体発電システム２ａはエジェクター式混合吸収凝縮器１３および加圧ポンプ１４を共用する構成である。
【００６１】
このような構成によって、水・アンモニア混合媒体発電システム２ａのエジェクター式混合吸収凝縮器１３で復液された復液は加圧ポンプ１４で加圧されて分岐されて一部が蒸発器２３に導かれる。また、加熱器２６で加熱されたアンモニア蒸気は、エジェクター式混合吸収凝縮器１３のハウジング部１８に流入する。また、熱回収器３０で冷却された低濃度混合媒体液は、絞り弁３１を経由してエジェクター式混合吸収凝縮器１３のノズル部１９に導かれる。
【００６２】
この第４の実施の形態の電力・冷熱供給コンバインドシステムにおいては、夜間の電力需要の少ない時に、水蒸気発電システム１のボイラー４で生成した蒸気の約２０％程度を分岐して分岐配管２７を経由してアンモニア吸収式冷凍システム３ａの蒸発器２３に導く。
【００６３】
蒸発器２３の熱交換部３６において蒸気は、水・アンモニア混合媒体発電システム２ａに設けられたエジェクター式混合吸収凝縮器１３で復液したアンモニア水溶液を加圧ポンプ１４で加圧し分岐した一部を熱回収器３０の熱交換部３８に導いて熱交換をして昇温されたアンモニア水溶液と熱交換を行って凝縮して高温水となる。
【００６４】
前記高温水は減圧弁２２で減圧されて、戻り配管２７ａによって水・アンモニア混合媒体発電システム２ａの高圧分離器４５の熱交換部４６に導かれて熱交換を行って冷却され、水蒸気タービン５の排気と合流して復水器７に導入され、水・アンモニア混合媒体発電システム２ａ内を循環する水とアンモニアのの混合媒体が流れる熱交換部９で冷却されて復水する。
【００６５】
また、加熱器２６で熱交換を行ったアンモニア蒸気は、エジェクター式混合吸収凝縮器１３のハウジング部１８に導かれ、蒸発器２３や高圧分離器４５で分離された低濃度混合媒体液および、加圧ポンプ１４で加圧された復液を分岐した一部をノズル部１９に導いて噴出される超音速二相流によって吸引されて混合吸収されながら熱交換部室２０に導かれて復液する。こうして、加熱器２６の熱交換部３７に環流する冷媒を冷却して冷媒を介して冷熱を貯蔵する。
【００６６】
電力需要のピークが発生する昼間には、水蒸気発電システム１のボイラー４で生成した蒸気をアンモニア吸収式冷凍システム３ａに分岐する蒸気量を減らし、大部分の蒸気を水蒸気タービン５に導いてこれを駆動し同軸に結合された発電機６で発電を行う。水蒸気タービン５の排気は、復水器７に導かれ、水・アンモニア混合媒体発電システム２ａからの水とアンモニアの混合媒体液が流れる熱交換部９で熱交換を行って復水する。
【００６７】
復水器７の熱交換部９で熱交換を行って加熱された混合媒体は、水・アンモニア混合媒体発電システム２ａの高圧分離器４５に導かれ、アンモニア吸収式冷凍システム３ａの蒸発器２３の熱交換部３６で熱交換を行った高温水が流れる熱交換部４６で更に加熱されて高濃度混合媒体蒸気と低濃度混合媒体液に分離される。この高濃度混合媒体蒸気によって混合媒体タービン１１を駆動して発電を行う。
【００６８】
この第４の実施の形態によれば、前記第３の実施の形態と同様な効果が得られるとともに、アンモニア吸収式冷凍システム３ａと水・アンモニア混合媒体発電システム２ａがエジェクター式混合吸収凝縮器１３および加圧ポンプ１４を共用するので、システムの設備費を低減することができる。なお、この実施の形態における水蒸気発電システム１は、前記第２の実施の形態におけるように、復水器７の代りにエジェクター式混合吸収凝縮器３９を備えた構成であってもよい。
【００６９】
つぎに本発明の第５の実施の形態を説明する。この実施の形態の電力・冷熱供給コンバインドシステムは図５に示すように、水蒸気発電システム１と、水・アンモニア混合媒体発電システム２ａと、アンモニア吸収式冷凍システム３ｂとを備えている。
【００７０】
水蒸気発電システム１の構成は第１、第３、第４の実施の形態におけるとほぼ同じであるが、ボイラー４で発生した蒸気を分岐する分岐配管２７上に減圧弁２２ａを備えている。水・アンモニア混合媒体発電システム２ａの構成は第３、第４の実施の形態におけると同じであるが、加圧ポンプ１４は高圧と中圧の２段に切り換えられるようになっている。
【００７１】
アンモニア吸収式冷凍システム３ｂは凝縮器２４と膨張弁２５と加熱器２６を備えているが、前記各実施の形態におけるような蒸発器やエジェクター式混合吸収凝縮器は備えていない。そして、凝縮器２４の入口には配管５０によって、水・アンモニア混合媒体発電システム２ａの高圧分離器４５の蒸気出力が接続され、加熱器２６の出口は配管４８によって、水・アンモニア混合媒体発電システム２ａに設けられたエジェクター式混合吸収凝縮器１３のハウジング部１８に接続されている。
【００７２】
このような構成によって、水蒸気発電システム１のボイラー４で発生した水蒸気を分岐して、一部を分岐配管２７、減圧弁２２ａを経由して水・アンモニア混合媒体発電システム２ａの高圧分離器４５の熱交換部４６に導いて熱交換を行ったのち復水器７へ環流させる。また、水・アンモニア混合媒体発電システム２ａの高圧分離器４５で分離したアンモニア蒸気の一部をアンモニア吸収式冷凍システム３ｂの凝縮器２４に導き、アンモニア吸収式冷凍システム３ｂの加熱器２６で加熱されたアンモニア蒸気を水・アンモニア混合媒体発電システム２ａのエジェクター式混合吸収凝縮器１３のハウジング部１８に導く。
【００７３】
この第５の実施の形態の電力・冷熱供給コンバインドシステムにおいては、夜間の電力需要の少ない時に、水蒸気発電システム１のボイラー４で生成した蒸気の約２０％程度を分岐して水・アンモニア混合媒体発電システム２ａの高圧分離器４５に導く。高圧分離器４５の熱交換部４６において蒸気は、高圧分離器４５に貯溜されているアンモニア水溶液を加熱してアンモニア蒸気と低濃度混合媒体液に分離する。
【００７４】
アンモニア蒸気はアンモニア吸収式冷凍システム３ｂの凝縮器２４に導いて凝縮させ、膨張弁２５で断熱膨張をさせ加熱器２６に導いて冷媒と熱交換を行わせたのち、水・アンモニア混合媒体発電システム２ａのエジェクター式混合吸収凝縮器１３のハウジング部１８に導く。こうして、加熱器２６の熱交換部３７に環流する冷媒を冷却して冷熱を貯蔵する。
【００７５】
高圧分離器４５で分離された低濃度混合媒体液は熱回収器１５、絞り弁１６を経由してエジェクター式混合吸収凝縮器１３のノズル部１９に導かれる。ノズル部１９には、加圧ポンプ１４で加圧された復液を分岐した一部で分岐配管１７を経由した混合媒体液も供給され、ノズル部１９から超音速二相流噴流で噴き出して、ハウジング部１８に流入する加熱器２６の排気を吸引して混合吸収しながら熱交換部室２０に導いて復液させる。高圧分離器４５で分離されたアンモニア蒸気を混合媒体タービン１１に導いて発電することは行わない。
【００７６】
電力需要のピークが発生する昼間には、水蒸気発電システム１のボイラー４で生成した蒸気を高圧分離器４５の熱交換部４６に分岐する量は少量とし、発生した蒸気の大部分を水蒸気タービン５に導いてこれを駆動し、同軸に結合された発電機６で発電を行う。水蒸気タービン３の排気は、復水器７に導かれ、熱交換部９で水・アンモニア混合媒体発電システム２ａから循環する混合媒体と熱交換を行って復水する。
【００７７】
復水器７の熱交換部９で熱交換を行って加熱された混合媒体は、高圧分離器４５に導かれ、熱交換部４６で加熱されて高濃度混合媒体蒸気と低濃度混合媒体液に分離する。高濃度混合媒体蒸気は混合媒体タービン１１に導かれてこれを駆動し、同軸に結合された発電機１２で発電を行う。混合媒体タービン１１の排気は、エジェクター式混合吸収凝縮器１３のハウジング部１８に導かれる。
【００７８】
一方、高圧分離器４５で分離された低濃度混合媒体液は熱回収器１５と絞り弁１６を経由してエジェクター式混合吸収凝縮器１３のノズル部１９に導かれる。また加圧ポンプ１４で加圧された復液を分岐した一部が分岐配管１７を経由してノズル部１９に導かれる。そして、ノズル部１９より噴出する超音速二相流で、ハウジング部１８に混合媒体タービン１１から流入する高濃度混合媒体蒸気を吸引して混合吸収凝縮しながら熱交換部室２０に導いて復液させる。
【００７９】
この第５の実施の形態によれば、前記第４の実施の形態と同様な効果が得られるとともに、アンモニア吸収式冷凍システム３ｂが蒸発器、熱回収器、絞り弁を備えず、水・アンモニア混合媒体発電システム２ａとの高圧分離器４５を共用するので、機器数を低減することができ、システムの設備費を低減することができる。なお、この実施の形態における水蒸気発電システム１は、前記第２の実施の形態におけるように、復水器７の代りにエジェクター式混合吸収凝縮器３９を備えた構成であってもよい。
【００８０】
なお、前記第１から第５の実施の形態において、水・アンモニア混合媒体発電システム２、２ａにおけるエジェクター式混合吸収凝縮器１３の熱交換部室の熱交換部を大気で冷却する構成にしてもよい。大気冷却であると、冬期のように外気温度が低下すればするほど水・アンモニア混合媒体発電システム２、２ａによる発電量が増大し、多くの資源エネルギーを回収することができる。
【００８１】
つぎに本発明の第６の実施の形態を説明する。この実施の形態の電力・冷熱供給コンバインドシステムは、図６に示すように、水蒸気発電システム１と、水・アンモニア混合媒体発電システム２と、アンモニア吸収式冷凍システム３、および、冷却水配管５１と取水ポンプ５２を設けて、水・アンモニア混合媒体発電システム２におけるエジェクター式混合吸収凝縮器１３の熱交換部室２０の熱交換部と、アンモニア吸収式冷凍システム３におけるエジェクター式混合吸収凝縮器２８の熱交換部室３５の熱交換部、および凝縮器２４の熱交換部に流す冷却海水系を共有化した構成である。
【００８２】
取水ポンプ５２は、水蒸気発電システム１内のボイラー４の最大の熱出力を除去できる流量から水蒸気タービン５と混合媒体タービン１１の合計出力を差し引いた残りの熱エネルギーを除去できる流量まで変えられる構成とし、また、加圧ポンプ１４と２９もそれぞれ吐出流量を変えられる構成とする。
【００８３】
この第６の実施の形態の電力・冷熱供給コンバインドシステムは前記第１の実施の形態の電力・冷熱供給コンバインドシステムと同様に動作するが、そのほかに、水蒸気発電システム１の水蒸気タービン５が機能喪失した場合、ボイラー４の熱発生を停止するとともに、発生する蒸気の全量を分岐配管２７よりアンモニア吸収式冷凍システム３の蒸発器２３の熱交換部３６に導いて熱交換を行い、減圧弁２２を経由して水蒸気発電システム１の復水器７に導き、熱交換部９で冷却を行って復水し、循環ポンプ８で加圧してボイラー４に循環させる。
【００８４】
また、水蒸気タービン５が機能喪失すると同時に取水ポンプ５２の取水量を最大にし、アンモニア吸収式冷凍システム３内のエジェクター式混合吸収凝縮器２８の熱交換部室３５の熱交換部および凝縮器２４の熱交換部への冷却水供給を増やす。そして、アンモニア吸収式冷凍システム３内の加圧ポンプ２９の吐出流量を増やし、蒸発器２３における熱交換量を増大させる。
【００８５】
こうして、アンモニア吸収式冷凍システム３の蒸発器２３での熱除去量が、水蒸気発電システム１の水蒸気タービン５による熱エネルギー量消費量と同じ程度になるようにし、水・アンモニア混合媒体発電システム２の混合媒体タービン１１による熱エネルギー消費量が変化しないようにする。なお、アンモニア吸収式冷凍システム３の加熱器２６の熱交換部３７への冷媒循環は停止する。
【００８６】
この第６の実施の形態によれば前記第１の実施の形態と同様な効果が得られるとともに次のような効果が得られる。すなわち、水蒸気発電システム１の水蒸気タービン５が機能喪失した時にボイラー４の熱発生を停止すると同時に循環水も停止するとボイラー４が破損する危険のあるシステムにおいては、ボイラー４の停止後も循環水を流すことになり大量の蒸気を発生するが、本実施の形態においては、この発生した蒸気の全量をアンモニア吸収式冷凍システム３に導き、また取水ポンプ５２の取水量を増やし、加圧ポンプ２９の吐出量を増やすことで、水蒸気タービン５で消費していた熱エネルギーを除去することができるようになり、水蒸気タービン５の機能喪失事故のシステム全体への波及を防止することができる。
【００８７】
また、アンモニア吸収式冷凍システム３と水・アンモニア混合媒体発電システム２のエジェクター式混合吸収凝縮器２８，１３の熱交換部室３５，２０の熱交換部への冷却海水の供給を取水ポンプ５２で取水した海水を分岐して行う構成であるので、常用系のポンプを用いて事故に対処することができ、システムの信頼性を向上させることができ、設備の稼動率が向上して経済的である。
【００８８】
つぎに本発明の第７の実施の形態を説明する。この実施の形態の電力・冷熱供給コンバインドシステムは、図７に示すように、水蒸気発電システム１と、水・アンモニア混合媒体発電システム２ａと、アンモニア吸収式冷凍システム３、および、冷却水配管５１と取水ポンプ５２を設けて、水・アンモニア混合媒体発電システム２ａにおけるエジェクター式混合吸収凝縮器１３の熱交換部室２０の熱交換部と、アンモニア吸収式冷凍システム３におけるエジェクター式混合吸収凝縮器２８の熱交換部室３５の熱交換部、および凝縮器２４の熱交換部に流す冷却海水系を共有化した構成である。
【００８９】
取水ポンプ５２は、水蒸気発電システム１内のボイラー４の最大の熱出力を除去できる流量から水蒸気タービン５と混合媒体タービン１１の合計出力を差し引いた残りの熱エネルギーを除去できる流量まで変えられる構成とし、また、加圧ポンプ１４と２９もそれぞれ吐出流量を変えられる構成とする。
【００９０】
この第７の実施の形態の電力・冷熱供給コンバインドシステムは前記第３の実施の形態の電力・冷熱供給コンバインドシステムと同様に動作するが、そのほかに、水蒸気発電システム１の水蒸気タービン５が機能喪失した場合、ボイラー４の熱発生を停止するとともに、発生する蒸気の全量を分岐配管２７よりアンモニア吸収式冷凍システム３の蒸発器２３の熱交換部３６に導いて熱交換を行い、減圧弁２２を経由して水・アンモニア混合媒体発電システム２ａの高圧分離器４５の熱交換部４６に導いて冷却して水蒸気発電システム１の復水器７に導き、熱交換部９で冷却を行って復水し、循環ポンプ８で加圧してボイラー４に循環させる。
【００９１】
また、水蒸気タービン５が機能喪失すると同時に取水ポンプ５２の取水量を最大にし、アンモニア吸収式冷凍システム３内のエジェクター式混合吸収凝縮器２８の熱交換部室３５の熱交換部、および凝縮器２４の熱交換部への冷却水供給を増やす。そして、アンモニア吸収式冷凍システム３内の加圧ポンプ２９の吐出流量を増やし、蒸発器２３における熱交換量を増大させる。
【００９２】
こうして、アンモニア吸収式冷凍システム３の蒸発器２３での熱除去量が、水蒸気発電システム１の水蒸気タービン５による熱エネルギー量消費量と同じ程度になるようにし、水・アンモニア混合媒体発電システム２ａの混合媒体タービン１１による熱エネルギー消費量が変化しないようにする。なお、アンモニア吸収式冷凍システム３の加熱器２６の熱交換部３７への冷媒循環は停止する。
【００９３】
この第７の実施の形態によれば前記第３の実施の形態と同様な効果が得られるとともに次のような効果が得られる。すなわち、水蒸気発電システム１の水蒸気タービン５が機能喪失した時にボイラー４の熱発生を停止すると同時に循環水も停止すると、ボイラー４が破損する危険のあるシステムにおいては、ボイラー４の停止後も循環水を流すことになり大量の蒸気を発生するが、本実施の形態においては、この発生した蒸気の全量をアンモニア吸収式冷凍システム３に導き、また、取水ポンプ５２の取水量を増やし、加圧ポンプ２９の吐出量を増やすことで、水蒸気タービン５で消費していた熱エネルギーを除去することができるようになり、水蒸気タービン５の機能喪失事故のシステム全体への波及を防止することができる。
【００９４】
また、アンモニア吸収式冷凍システム３と水・アンモニア混合媒体発電システム２ａのエジェクター式混合吸収凝縮器２８，１３の熱交換部室３５、２０の熱交換部への冷却海水の供給を取水ポンプ５２で取水した海水を分岐して行う構成であるので、常用系のポンプを用いて事故に対処することができ、システムの信頼性を向上させることができ、設備の稼動率が向上して経済的である。
【００９５】
つぎに本発明の第８の実施の形態を説明する。この実施の形態の電力・冷熱供給コンバインドシステムは、図８に示すように、水蒸気発電システム１と、水・アンモニア混合媒体発電システム２ａと、アンモニア吸収式冷凍システム３ａ、および、冷却水配管５１と取水ポンプ５２を設けて、水・アンモニア混合媒体発電システム２ａにおけるエジェクター式混合吸収凝縮器１３の熱交換部室２０の熱交換部と、アンモニア吸収式冷凍システム３ａにおける凝縮器２４の熱交換部に流す冷却海水系を共有化した構成である。
【００９６】
取水ポンプ５２は、水蒸気発電システム１内のボイラー４の最大の熱出力を除去できる流量から水蒸気タービン５と混合媒体タービン１１の合計出力を差し引いた残りの熱エネルギーを除去できる流量まで変えられる構成とし、また加圧ポンプ１４の吐出流量も変えられる構成とする。
【００９７】
この第８の実施の形態の電力・冷熱供給コンバインドシステムは前記第４の実施の形態の電力・冷熱供給コンバインドシステムと同様に動作するが、そのほかに、水蒸気発電システム１の水蒸気タービン５が機能喪失した場合、ボイラー４の熱発生を停止するとともに、発生する蒸気の全量を分岐配管２７よりアンモニア吸収式冷凍システム３ａの蒸発器２３の熱交換部３６に導いて熱交換を行い、減圧弁２２を経由して水・アンモニア混合媒体発電システム２ａの高圧分離器４５の熱交換部４６に導いて冷却して水蒸気発電システム１の復水器７に導き、熱交換部９で冷却を行って復水し、循環ポンプ８で加圧してボイラー４に循環させる。
【００９８】
また、水蒸気タービン５が機能喪失すると同時に取水ポンプ５２の取水量を最大にし、アンモニア吸収式冷凍システム３ａ内の凝縮器２４の熱交換部への冷却水、および水・アンモニア混合媒体発電システム２ａ内のエジェクター式混合吸収凝縮器１３の熱交換部室２０の熱交換部への冷却水を増やす。そして、水・アンモニア混合媒体発電システム２ａの加圧ポンプ１４の吐出流量を増やし、分岐配管１７への分岐量および、アンモニア吸収式冷凍システム３ａへの分岐量を増やし、蒸発器２３における熱交換量を増大させる。
【００９９】
こうして、アンモニア吸収式冷凍システム３ａの蒸発器２３での熱除去量が、水蒸気発電システム１の水蒸気タービン５による熱エネルギー消費量と同じ程度となるようにし、水・アンモニア混合媒体発電システム２ａの混合媒体タービン１１による熱エネルギー消費量が変化しないようにする。なお、アンモニア吸収式冷凍システム３ａの加熱器２６の熱交換部３７への冷媒循環は停止する。
【０１００】
この第８の実施の形態によれば前記第４の実施の形態と同様な効果が得られるとともに次のような効果が得られる。すなわち、水蒸気発電システム１の水蒸気タービン５が機能喪失した時にボイラー４の熱発生を停止すると同時に循環水も停止すると、ボイラー４が破損する危険のあるシステムにおいては、取水ポンプ５２の取水量を増やし、また、水・アンモニア混合媒体発電システム２ａの加圧ポンプ１４の吐出量を増やすことでボイラー４の停止後も循環水を流すことになり大量の蒸気を発生するが、本実施の形態においては、ボイラー４で発生した蒸気の全量をアンモニア吸収式冷凍システム３ａに導いて水蒸気タービン５で消費していた熱エネルギーを除去して、水蒸気タービン５の機能喪失事故がシステム全体へ波及することを防止することができる。
【０１０１】
また、アンモニア吸収式冷凍システム３ａの蒸発器２３へ供給する低温復液の増加分を製造するのに使用する冷却海水の供給を常用系のポンプ５２を用いて対処することができるので、システムの信頼性を向上させることができ、設備の稼動率が向上して経済的である。
【０１０２】
つぎに本発明の第９の実施の形態を説明する。この実施の形態の電力・冷熱供給コンバインドシステムは、図９に示すように、水蒸気発電システム１と、水・アンモニア混合媒体発電システム２ａと、アンモニア吸収式冷凍システム３ｂ、および、冷却水配管５１と取水ポンプ５２を設けて、水・アンモニア混合媒体発電システム２ａにおけるエジェクター式混合吸収凝縮器１３の熱交換部室２０の熱交換部と、アンモニア吸収式冷凍システム３ｂにおける凝縮器２４の熱交換部に流す冷却海水系を共有化した構成である。
【０１０３】
取水ポンプ５２は、水蒸気発電システム１内のボイラー４の最大の熱出力を除去できる流量から水蒸気タービン５と混合媒体タービン１１の合計出力を差し引いた残りの熱エネルギーを除去できる流量まで変えられる構成とし、また、加圧ポンプ１４の吐出流量を変えられる構成とする。
【０１０４】
この第９の実施の形態の電力・冷熱供給コンバインドシステムは、前記第５の実施の形態の電力・冷熱供給コンバインドシステムと同様に動作するが、そのほかに、水蒸気発電システム１の水蒸気タービン５が、機能喪失した場合、ボイラー４の熱発生を停止するとともに、発生する蒸気の全量を分岐配管２７より水・アンモニア混合媒体発電システム２ａの高圧分離器４５の熱交換部４６に導いて冷却して水蒸気発電システム１の復水器７に導き、熱交換部９で冷却を行って復水し、循環ポンプ８で加圧してボイラー４に循環させる。
【０１０５】
また、水蒸気タービン５が機能喪失すると同時に取水ポンプ５２の取水量を最大にし、水・アンモニア混合媒体発電システム２ａ内のエジェクター式混合吸収凝縮器１３の熱交換部室２０の熱交換部への冷却水、およびアンモニア吸収式冷凍システム３ｂ内の凝縮器２４の熱交換部への冷却水を増やす。また、水・アンモニア混合媒体発電システム２ａの加圧ポンプ１４の吐出流量を増やし、アンモニア吸収式冷凍システム３ｂへのアンモニア蒸気の分岐量を増やし、凝縮器２４における熱交換量を増やす。こうして、水・アンモニア混合媒体発電システム２ａの混合媒体タービン１１による熱エネルギー消費量が変化しないようにする。なお、アンモニア吸収式冷凍システム３ｂの加熱器２６の熱交換部３７への冷媒循環は停止する。
【０１０６】
この第９の実施の形態によれば、前記第５の実施の形態と同様な効果が得られるとともに次のような効果が得られる。すなわち、水蒸気発電システム１の水蒸気タービン５が機能喪失した時にボイラー４の熱発生を停止すると同時に循環水も停止すると、ボイラー４が破損する危険のあるシステムにおいては、ボイラー４の停止後も循環水を流すことになり、大量の蒸気を発生するが、本実施の形態においては、取水ポンプ５２の取水量を増やし、また、水・アンモニア混合媒体発電システム２ａの加圧ポンプ１４の吐出量を増やすことによって、ボイラー４で発生した蒸気の全量をアンモニア吸収式冷凍システム３ｂに導いて水蒸気タービン５で消費していた熱エネルギーを除去して、水蒸気タービン５の機能喪失事故がシステム全体へ波及することを防止することができる。
【０１０７】
また、アンモニア吸収式冷凍システム３ｂの凝縮器２４の熱交換部へ供給する冷却海水の増加分、および水・アンモニア混合媒体発電システム２ａのエジェクター式混合吸収凝縮器１３の熱交換部室２０の熱交換部への冷却水の増加分を常用系のポンプ５２を用いて対処することができるので、システムの信頼性を向上させることができ、設備の稼動率も向上して経済的である。
【０１０８】
つぎに本発明の第１０の実施の形態を説明する。この実施の形態の電力・冷熱供給コンバインドシステムは、図１０に示すように、水蒸気発電システム１と、水・アンモニア混合媒体発電システム２ｂと、アンモニア吸収式冷凍システム３とを備えている。水蒸気発電システム１の構成は、第１、第３等の実施の形態におけると同じであり、アンモニア吸収式冷凍システム３の構成は第１、第２等の実施の形態におけると同じである。
【０１０９】
水・アンモニア混合媒体発電システム２ｂは、高圧分離器１０、混合媒体タービン１１、発電機１２、エジェクター式混合吸収凝縮器１３、加圧ポンプ１３、熱回収器１５、絞り弁１６、分岐配管１７、熱回収器５３、分岐配管５４、および弁５５を備えている。
【０１１０】
すなわち、水・アンモニア混合媒体発電システム２ｂは、高圧分離器１０の高濃度混合媒体蒸気配管を分岐して海水で冷却する熱回収器５３、および緊急時に開放する弁５５を介して混合媒体タービン１１の排気部に接続されたバイパス系を設けた構成である。
【０１１１】
このような構成によって、水蒸気発電システム１の復水器７に水・アンモニア混合媒体発電システム２ｂからの水・アンモニア混合媒体を流し、熱交換を行って加熱し、水・アンモニア混合媒体発電システム２ｂの高圧分離器１０に導いて高濃度の混合媒体蒸気と低濃度の混合媒体液に分離させる。
【０１１２】
高濃度の混合媒体蒸気は分岐して一部は分岐配管５４を経由して熱回収器５３で熱交換を行って弁５５を経由してエジェクター式混合吸収凝縮器１３のハウジング部１８に導かれる。他は混合媒体タービン１１に導かれてこれを駆動し同軸に結合された発電機１２で発電を行い、エジェクター式混合吸収凝縮器１３のハウジング部１８に導かれる。
【０１１３】
高圧分離器１０で分離された低濃度混合媒体液は熱回収器１５で冷却され、絞り弁１６を経由してエジェクター式混合吸収凝縮器１３のノズル部１９に流入する。そして、ハウジング部１８に流入した高濃度混合媒体蒸気を吸引して混合吸収しながら熱交換部室２０に流入して熱交換を行って復液させる。
【０１１４】
復液は、加圧ポンプ１４で加圧され分岐されて、一部は分岐配管１７でエジェクター式混合吸収凝縮器１３のノズル部１９に導かれ、残りの加圧された復液は熱回収器１５の熱交換部２１を経由して水蒸気発電システム１の復水器７の熱交換部９に循環する。
【０１１５】
この第１０の実施の形態の電力・冷熱供給コンバインドシステムは、前記第１の実施の形態と同様に動作するが、さらに、水・アンモニア混合媒体発電システム２ｂの混合媒体タービン１１が機能喪失した時、高圧分離器１０で分離された高濃度混合媒体蒸気の全量を分岐配管５４に導き、熱回収器５３で熱交換を行って冷却して弁５５を経由してエジェクター式混合吸収凝縮器１３のハウジング部１８に導く。
【０１１６】
また、高圧分離器１０で分離された低濃度混合媒体液を熱回収器１５で冷却して、絞り弁１６を経由してエジェクター式混合吸収凝縮器１３のノズル部１９に流入させる。そして、ハウジング部１８に流入した高濃度混合媒体蒸気を吸引して混合吸収しながら熱交換部室２０に流入して熱交換を行って復液させる。
【０１１７】
復液は、加圧ポンプ１４で加圧され分岐されて一部は分岐配管１７でエジェクター式混合吸収凝縮器１３のノズル部１９に導かれる。残りの復液は熱回収器１５の熱交換部２１を経由して水蒸気発電システム１の復水器７の熱交換部９に循環される。熱回収器５３では混合媒体タービン１１の駆動エネルギー相当の熱除去を行う。
【０１１８】
この第１０の実施の形態によれば、前記第１の実施の形態と同様な効果が得られるとともに次のような効果が得られる。すなわち、混合媒体タービン１１が機能喪失した時にボイラー４の熱発生を停止すると同時に循環水も停止すると、ボイラー４が破損する危険のあるシステムにおいては、ボイラー４の停止後も循環水を流すことになり、大量の蒸気を発生するが、本実施の形態においては、ボイラー４で発生し、水蒸気タービン５を駆動した蒸気と復水器７で熱交換を行って水・アンモニア混合媒体発電システム２ｂに導かれた熱エネルギーで高濃度混合媒体蒸気を発生させ、この高濃度混合媒体蒸気を分岐配管５４から熱回収器５３に導いて海水で冷却して熱交換を行わせてエジェクター式混合吸収凝縮器１３のハウジング部１８から熱交換部室２０に導いて復液させ、加圧ポンプ１４で加圧して復水器７に循環させるので、高濃度混合媒体蒸気の熱エネルギーを熱回収器５３によって除去し、混合媒体タービン１１の機能喪失事故がシステム全体へ波及することを防止することができる。
【０１１９】
つぎに本発明の第１１の実施の形態を説明する。この実施の形態の電力・冷熱供給コンバインドシステムは、図１１に示すように、水蒸気発電システム１と、水・アンモニア混合媒体発電システム２と、アンモニア吸収式冷凍システム３ｃとを備えている。水蒸気発電システム１の構成は、第１、第３等の実施の形態におけると同じであり、水・アンモニア混合媒体発電システム２の構成は第１、第２等の実施の形態におけると同じである。
【０１２０】
アンモニア吸収式冷凍システム３ｃは、蒸発器２３、凝縮器２４、膨張弁２５、加熱器２６、エジェクター式混合吸収凝縮器２８、加圧ポンプ２９、熱回収器３０、絞り弁３１、および分岐配管３２、５６、５７を備えている。
【０１２１】
すなわち、アンモニア吸収式冷凍システム３ｃにおける凝縮器２４の冷却を、加圧ポンプ２９で加圧し分岐した復液で行い、復液はその後、蒸発器２３に導くようにした構成である。
【０１２２】
蒸発器２３に導入された水・アンモニア混合媒体は、水蒸気発電システム１で生成され分岐された水蒸気で加熱され、高濃度アンモニア蒸気と低濃度混合媒体液に分離される。高濃度アンモニア蒸気は凝縮器２４に導かれて冷却され、膨張弁２５を経由して加熱器２６に流入して外部からの冷媒が流れる熱交換部３７で熱交換を行ってエジェクター式混合吸収凝縮器２８のハウジング部３３に流入する。
【０１２３】
一方、蒸発器２３で分離された低濃度混合媒体液は熱回収器３０で冷却され、絞り弁３１を経由してエジェクター式混合吸収凝縮器２８のノズル部３４に流入する。そして、ハウジング部３３に流入しているアンモニア蒸気を吸引して混合吸収しながら熱交換部室３５に流入して熱交換を行って復液させる。この復液は、加圧ポンプ２９で加圧し分岐して一部を分岐配管３２経由でエジェクター式混合吸収凝縮器２８のノズル部３４に導く。他の一部は分岐配管５６で凝縮器２４の熱交換部に流して熱交換を行わせて蒸発器２３に導き、残りは熱回収器３０の熱交換部３８を経由して蒸発器２３に循環させる。加熱器２６の熱交換部３７を流れる外部からの冷媒は、図示されていない潜熱蓄熱剤貯蔵槽や製氷装置に導かれる。
【０１２４】
この実施の形態の電力・冷熱供給コンバインドシステムにおいては、アンモニア吸収式冷凍システム３ｃの凝縮器２４の冷却を海水等で行うのでなく、エジェクター式混合吸収凝縮器２８で液化した混合媒体復液を加圧ポンプ２９で加圧し分岐して行う。したがって、高い熱回収効率を得ることができる。
【０１２５】
【発明の効果】
本発明によれば、建設費用が低減され、設備効率の高い電力・冷熱供給コンバインドシステムを提供することができる。
【図面の簡単な説明】
【図１】本発明の第１の実施の形態の電力・冷熱コンバインドシステムの機器構成および流体の流れを示す図。
【図２】本発明の第２の実施の形態の電力・冷熱コンバインドシステムの機器構成および流体の流れを示す図。
【図３】本発明の第３の実施の形態の電力・冷熱コンバインドシステムの機器構成および流体の流れを示す図。
【図４】本発明の第４の実施の形態の電力・冷熱コンバインドシステムの機器構成および流体の流れを示す図。
【図５】本発明の第５の実施の形態の電力・冷熱コンバインドシステムの機器構成および流体の流れを示す図。
【図６】本発明の第６の実施の形態の電力・冷熱コンバインドシステムの機器構成および流体の流れを示す図。
【図７】本発明の第７の実施の形態の電力・冷熱コンバインドシステムの機器構成および流体の流れを示す図。
【図８】本発明の第８の実施の形態の電力・冷熱コンバインドシステムの機器構成および流体の流れを示す図。
【図９】本発明の第９の実施の形態の電力・冷熱コンバインドシステムの機器構成および流体の流れを示す図。
【図１０】本発明の第１０の実施の形態の電力・冷熱コンバインドシステムの機器構成および流体の流れを示す図。
【図１１】本発明の第１１の実施の形態の電力・冷熱コンバインドシステムの機器構成および流体の流れを示す図。
【符号の説明】
１，１ａ…水蒸気発電システム、２，２ａ，２ｂ…水・アンモニア混合媒体発電システム、３，３ａ，３ｂ，３ｃ…アンモニア吸収式冷凍システム、４…ボイラー、５…水蒸気タービン、６…発電機、７…復水器、８…循環ポンプ、９…熱交換部、１０…高圧分離器、１１…混合媒体タービン、１２…発電機、１３…エジェクター式混合吸収凝縮器、１４…加圧ポンプ、１５…熱回収器、１６…絞り弁、１７…分岐配管、１８…ハウジング部、１９…ノズル部、２０…熱交換部室、２１…熱交換部、２２，２２ａ…減圧弁、２３…蒸発器、２４…凝縮器、２５…膨張弁、２６…加熱器、２７…分岐配管、２７ａ…戻り配管、２８…エジェクター式混合吸収凝縮器、２９…加圧ポンプ、３０…熱回収器、３１…絞り弁、３２…分岐配管、３３…ハウジング部、３４…ノズル部、３５…熱交換部室、３６，３７，３８…熱交換部、３９…エジェクター式混合吸収凝縮器、４０…ハウジング部、４１…ノズル部、４２…熱交換部室、４３…熱交換部、４４…分岐配管、４５…高圧分離器、４６…熱交換部、４７，４８，５０…配管、４９…分岐配管、５１…冷却水配管、５２…取水ポンプ、５３…熱回収器、５４…分岐配管、５５…弁、５６，５７…分岐配管。
【図１】
2004036573.tif 000003
【図２】
2004036573.tif 000004
【図３】
2004036573.tif 000005
【図４】
2004036573.tif 000006
【図５】
2004036573.tif 000007
【図６】
2004036573.tif 000008
【図７】
2004036573.tif 000009
【図８】
2004036573.tif 000010
【図９】
2004036573.tif 000011
【図１０】
2004036573.tif 000012
【図１１】
2004036573.tif 000013